(57)【要約】      （修正有）【課題】配置スペースの制限から装置本体側カップリングとプロセスカートリッジ側カップリングとの噛み合いが浅くされている場合であっても、装置本体側カップリングとプロセスカートリッジ側カップリングの噛み合いを可及的に確実にして、装置本体側カップリングとプロセスカートリッジ側カップリングとの連結不良を可及的に防止する電子写真装置を提供する。【解決手段】装置本体２の装置本体側カップリング６は、駆動源により軸５を回転した場合に軸５に伝達された上記駆動源の駆動力を装置本体側カップリング６に伝達し、上記駆動源により軸５を逆回転した場合に軸５に伝達された上記駆動源の駆動力を装置本体側カップリング６に伝達しない一方向クラッチ１１を具え、プロセスカートリッジ２１を装置本体２に取り付けた後に、軸５を正回転（矢印Ａ方向に回転）する前に軸５を逆回転（矢印Ｂ方向に回転）するように上記駆動源を駆動する。【選択図】図２
2010169875.tif 000002
【特許請求の範囲】
【請求項１】
駆動源を具えた装置本体と、該装置本体に対し着脱自在に取り付けられ、前記駆動源によって駆動するドラムを具えたプロセスカートリッジとを有し、
前記装置本体は、前記駆動源の駆動力が伝達されて正方向または逆方向に回転する駆動ギアと、該駆動ギアとともにとともに正方向又は逆方向に回転する軸と、
該軸の先端に取り付けられ、前記軸の軸方向に沿ってスライド自在である装置本体側カップリングと、該装置本体側カップリングを前記軸の先端側へ前記軸の軸方向に沿って付勢する付勢手段とを具え、
前記プロセスカートリッジは、前記ドラムに取り付けられたプロセスカートリッジ側カップリングを具え、
前記装置本体側カップリングと前記プロセスカートリッジ側カップリングのいずれか一方の先端に凸部が形成され、他方の先端に該凸部に噛み合う凹部が形成されており、
前記プロセスカートリッジを前記装置本体に取り付けた場合、前記凸部と前記凹部とが噛み合ったときに前記駆動源により前記軸を正回転すると、前記軸に伝達された前記駆動源の駆動力が前記装置本体側カップリング及び前記プロセスカートリッジ側カップリングを介し前記ドラムに伝達されて該ドラムが正回転し画像が形成される電子写真装置であって、
前記装置本体側カップリングは、
前記駆動源により前記軸を正回転した場合に前記軸に伝達された前記駆動源の駆動力を前記装置本体側カップリングに伝達し、前記駆動源により前記軸を逆回転した場合に前記軸に伝達された前記駆動源の駆動力を前記装置本体側カップリングに伝達しない一方向クラッチを具え、
前記プロセスカートリッジを前記装置本体に取り付けた後に、前記軸が前記正回転する前に前記軸が前記逆回転するように前記駆動源を駆動することを特徴とする電子写真装置。
【請求項２】
前記装置本体側カップリング、前記プロセスカートリッジ側カップリングのいずれか一方には、前記凸部又は前記凹部の、前記軸の逆回転方向側に呼び込み面を形成することを特徴とする請求項（１）に記載の電子写真装置。
【発明の詳細な説明】
【技術分野】
【０００１】
この発明は、電子写真装置に関する。
【背景技術】
【０００２】
一般に、複写機等の電子写真装置は、駆動源を具えた装置本体と、該装置本体に対し着脱自在に取り付けられ、上記駆動源により回転するドラムを具えたプロセスカートリッジと有している。
【０００３】
図４は、従来の電子写真装置の要部概念斜視図である。  
従来の電子写真装置５１は、図示せぬ駆動源を具えた装置本体２と、該装置本体２に対し着脱自在に取り付けられ、上記駆動源により回転するドラム２２を具えたプロセスカートリッジ２１を有している。
【０００４】
このうちの装置本体２は、上記駆動源の駆動力が伝達されて正方向に回転する駆動ギア４（図１参照）と、駆動ギア４とともに回転する軸５とを具えている。なお、軸５は駆動ギア４に取り付けられた軸である。また、この軸５の回転の中心となる軸Ｏ（図５）は、駆動ギア４の回転の中心となる軸と同一軸上にある。
【０００５】
また、電子写真装置５１には、互いに連結される２つのカップリング６、２３を具えている。このうちの一方のカップリング６は装置本体２に具えられており（以下、この一方のカップリングを「装置本体側カップリング」という。）、他方のカップリングリング２３は、プロセスカートリッジ２１に具えられている（以下、この他方のカップリングを「プロセスカートリッジ側カップリング」という。）。
【０００６】
また、装置本体側カップリング６は、軸５の先端に取り付けられ、軸５の軸方向（軸Ｏの方向）に沿ってスライド自在にされている。  
また、装置本体２は、装置本体側カップリング６を軸５の上記先端側へ、軸５の軸方向に沿って付勢するコイルスプリング８を具えている。  
なお、コイルスプリング８の一端は装置本体側カップリング６に取り付けられ、コイルスプリングの他端は、軸５に取り付けられた軸受け９に取り付けられている。  
また、プロセスカートリッジ側カップリング２３はドラム２２に取り付けられている。
【０００７】
また、装置本体側カップリング６の先端には凸部７が形成されており、プロセスカートリッジ側カップリング２３の先端には、該凸部７に噛み合う凹部２４が形成されている。
上記した図４では、プロセスカートリッジ２１を装置本体２に対し取り付けた場合に、装置本体側カップリング６の凸部７とプロセスカートリッジ側カップリング２３の凹部２４とが噛み合っている様子を示している。
【０００８】
この従来の電子写真装置５１では、プロセスカートリッジ側カップリング２３の先端を、コイルスプリング８の付勢力に抗して装置本体側カップリング６の先端に押し付け、これにより装置本体側カップリング６を軸５の後端側へスライドさせると、プロセスカートリッジ側カップリング２３を装置本体側カップリング６に向けて配置することができ、またその押し付けを解除すると、コイルスプリング８の付勢力によって、プロセスカートリッジ側カップリング２３を装置本体側カップリング６に向けて配置した状態を維持するとともに、プロセスカートリッジ２１を装置本体２に取り付けることができる。
【０００９】
また、プロセスカートリッジ２１を装置本体２から取り外す場合には、プロセスカートリッジ側カップリング２３の先端を、コイルスプリング８の付勢力に抗して装置本体側カップリング６の先端に押し付け、これにより装置本体側カップリング６を軸５の後端側へスライドさせた後、その押し付けを解除すると、カートリッジ２１を装置本体２から取り外すことができる。
【００１０】
また、上述したようにプロセスカートリッジ２１を装置本体２に取り付ける際、プロセスカートリッジ側カップリング２３の先端を、コイルスプリング８の付勢力に抗して装置本体側カップリング６の先端に押し付ける場合に、図４で示すように、凹部２４が形成されたプロセスカートリッジ側カップリング２３の位相と凸部７が形成された装置本体側カップリング６の位相とを合わせると、装置本体側カップリング６の凸部７とプロセスカートリッジ側カップリング２３の凹部２４とを噛み合わせることができ、これにより装置本体側カップリング６とプロセスカートリッジ側カップリング２３とが連結される。
【００１１】
この電子写真装置５１では、プロセスカートリッジ２１を装置本体２に取り付けた場合に、装置本体側カップリング６とプロセスカートリッジ側カップリング２３とが噛み合っているときには、図４の矢印Ａで示すように、上記駆動源により軸５を正回転すると、駆動ギア４を介し軸５に伝達された上記駆動源の駆動力が装置本体側カップリング６に伝達され、該伝達された上記駆動源の駆動力が、さらに装置本体側カップリング６に連結されたプロセスカートリッジ側カップリング２３を介してドラム２２に伝達され、該ドラム２２が正回転する。なお、ドラム２２はプロセスカートリッジ側カップリング２３を軸として回転する。
【００１２】
また、このドラム２２は、その表面に感光層が形成された感光体ドラムであり、プロセスカートリッジ２１には、このドラム２２に加え、帯電装置、露光装置、現像装置、転写装置およびクリーニングブレード等の各種装置（図示しない）がドラム２２の周囲に配設されている。  
従来の電子写真装置５１では、ドラム２２が一回転する間に、上記ドラム２２の周囲の各種装置による処理によって、画像が形成される。  
なお、従来の電子写真装置５１では、プロセスカートリッジ２１を装置本体２に取り付けた場合に軸５を逆回転するように上記駆動源を駆動することは行っていない。
【００１３】
また、従来の電子写真装置には、ドラム等の駆動に、回転力を一方向に伝達する一方向クラッチを用いたものがある（例えば引用文献１〜３参照）。
【先行技術文献】
【特許文献】
【００１４】
【特許文献１】特開平０８−２５４９０５号公報
【特許文献２】特開平１１−０４３２２９号公報
【特許文献３】特開平０６−３３２２８５号公報
【発明の概要】
【発明が解決しようとする課題】
【００１５】
ところで、従来の電子写真装置５１では、プロセスカートリッジ２１を装置本体２に取り付けた際、凸部７を具えた装置本体側カップリング６の位相と凹部２４を具えたプロセスカートリッジ側カップリング２３の位相とが合わない場合には、装置本体側カップリング６部の凸部７とプロセスカートリッジ側カップリング２３の凹部２４とが噛み合わない。この際に、図５の矢印Ａで示すように、上記駆動源の駆動力によって駆動ギア４（図１参照）を介し軸５を正方向に回転し、これにより凸部７を具えた装置本体側カップリング６の位相と凹部２４を具えたプロセスカートリッジ側カップリング２３の位相とを合わせると、その直後に、コイルスプリング８の付勢力Ｆ２の付勢方向と反対方向に働く、ドラム２２の駆動負荷による、軸５の軸方向（スラスト方向）の摩擦力Ｆ１´の大きさが、図５で示すようにコイルスプリング８の付勢力Ｆ２の大きさに比し大きくなって、コイルスプリング８の付勢力によっては装置本体側カップリング６の凸部７とプロセスカートリッジ側カップリング２３の凹部２４とが噛み合う位置まで装置本体側カップリング６を可動させることができない場合があった。そのため、装置本体側カップリング６の凸部７とプロセスカートリッジ側カップリング２３の凹部２４とが噛み合わず、これにより装置本体側カップリング６とプロセスカートリッジ側カップリング２３が連結不良となる問題が生じていた。  
なお、上記図５は、図４の電子写真装置の動作を示す図であり、特に装置本体側カップリングの凸部がプロセスカートリッジ側カップリングの凹部に噛み合わず、これにより装置本体側カップリングとプロセスカートリッジ側カップリングとの連結不良が生じている様子を示す電子写真装置の要部概念正面図である。
【００１６】
また、装置本体側カップリング６の凸部７とプロセスカートリッジ側カップリング２３の凹部２４との噛み合いは、それらの配置スペースの制限によって、軸５の軸方向に浅くせざるをえないので、装置本体側カップリング６の凸部７の、軸５の正回転方向側に、凸部７と凹部２４との噛み合いをし易くする呼び込み面（図示しない）を形成することは困難である。
【００１７】
また、プロセスカートリッジ２１を装置本体２に対し着脱する時に、装置本体側カップリング６をコイルスプリング８の付勢力に抗し軸５の後端側へスライド（回避）させる機構の機械的強度を考慮すると、コイルスプリング８の付勢力の大きさに制限を設けることがある。コイルスプリング８の付勢力の大きさに制限がある場合には、装置本体側カップリング６の凸部７がプロセスカートリッジ側カップリング２３の凹部２４に噛み合わないという連結不良の問題は、コイルスプリング８の付勢力の大きさに制限がない場合に比べ、一層生じ易いといえる。
【００１８】
上述した事情に鑑み、本発明は、配置スペースの制限から装置本体側カップリングとプロセスカートリッジ側カップリングとの噛み合いが浅くされている場合であっても、装置本体側カップリングとプロセスカートリッジ側カップリングの噛み合いを可及的に確実にして、装置本体側カップリングとプロセスカートリッジ側カップリングとの連結不良を可及的に防止する電子写真装置を提供することを目的とする。
【課題を解決するための手段】
【００１９】
上述した目的を達成するため、請求項１の発明の電子写真装置は、駆動源を具えた装置本体と、該装置本体に対し着脱自在に取り付けられ、前記駆動源によって駆動するドラムを具えたプロセスカートリッジとを有し、前記装置本体は、前記駆動源の駆動力が伝達されて正方向または逆方向に回転する駆動ギアと、該駆動ギアとともにとともに正方向又は逆方向に回転する軸と、該軸の先端に取り付けられ、前記軸の軸方向に沿ってスライド自在である装置本体側カップリングと、該装置本体側カップリングを前記軸の先端側へ前記軸の軸方向に沿って付勢する付勢手段とを具え、前記プロセスカートリッジは、前記ドラムに取り付けられたプロセスカートリッジ側カップリングを具え、前記装置本体側カップリングと前記プロセスカートリッジ側カップリングのいずれか一方の先端に凸部が形成され、他方の先端に該凸部に噛み合う凹部が形成されており、前記プロセスカートリッジを前記装置本体に取り付けた場合、前記凸部と前記凹部とが噛み合ったときに前記駆動源により前記軸を正回転すると、前記軸に伝達された前記駆動源の駆動力が前記装置本体側カップリング及び前記プロセスカートリッジ側カップリングを介し前記ドラムに伝達されて該ドラムが正回転し画像が形成される電子写真装置であって、前記装置本体側カップリングは、前記駆動源により前記軸を正回転した場合に前記軸に伝達された前記駆動源の駆動力を前記装置本体側カップリングに伝達し、前記駆動源により前記軸を逆回転した場合に前記軸に伝達された前記駆動源の駆動力を前記装置本体側カップリングに伝達しない一方向クラッチを具え、前記プロセスカートリッジを前記装置本体に取り付けた後に、前記軸が前記正回転する前に前記軸が前記逆回転するように前記駆動源を駆動することを特徴とする。
【００２０】
また、請求項２の発明の電子写真装置は、請求項１の発明において、前記装置本体側カップリング、前記プロセスカートリッジ側カップリングのいずれか一方には、前記凸部又は前記凹部の、前記軸の逆回転方向側に呼び込み面を形成することを特徴とする。
【発明の効果】
【００２１】
請求項１、２の各発明によれば、配置スペースの制限から装置本体側カップリングとプロセスカートリッジ側カップリングとの噛み合いが浅くされている場合であっても、装置本体側カップリングとプロセスカートリッジ側カップリングの噛み合いを可及的に確実にして、装置本体側カップリングとプロセスカートリッジ側カップリングとの連結不良を可及的に防止する電子写真装置を提供することが可能である。また、ドラムに接したクリーニングブレードが捲れる虞を可及的に防止できる。
【００２２】
また、請求項２の発明によれば、凸部と凹部とを噛み合い易くすることができ、そのため装置本体側カップリングとプロセスカートリッジ側カップリングとの連結を可及的に簡単にすることができる。
【図面の簡単な説明】
【００２３】
【図１】本願発明の第一実施例の電子写真装置の要部概念正面図である。
【図２】図１の電子写真装置の動作又は作用を説明する、電子写真装置の要部概念正面図である。
【図３】本願発明の第二実施例の電子写真装置の要部概念正面図である。
【図４】従来の電子写真装置の要部概念斜視図である。
【図５】図４の電子写真装置の動作を示す図である。
【発明を実施するための形態】
【００２４】
以下、本発明に係る電子写真装置のカップリング装置について、添付図面を参照して詳細に説明する。
【実施例１】
【００２５】
図１は、本願発明の第一実施例の電子写真装置の要部概念正面図であり、特にプロセスカートリッジを装置本体に対し取り付けた場合に、装置本体側カップリングの凸部とプロセスカートリッジ側カップリングの凹部とが噛み合っている様子を示している。なお、図１および後述する図２では、図４及び図５と同一部分を同一符号で示している。
【００２６】
図１で示すように、本願発明の第一実施例の電子写真装置１では、駆動源（図示しない）を具えた装置本体２と、該装置本体２に対し着脱自在に取り付けられたプロセスカートリッジ２１とを有している。
【００２７】
このうち、装置本体２は、上記駆動源（モータ）の駆動力が伝達されて正方向または逆方向に回転する駆動ギア４と、駆動ギア４とともにとともに正方向又は逆方向に回転する軸５とを具えている。  
なお、軸５は駆動ギア４に取り付けられた軸である。また、軸５の回転の中心となる軸Ｏは、駆動ギア４の回転の中心となる軸と同一軸上にある。
【００２８】
また、電子写真装置１には、互いに連結される２つのカップリング６、２３を具えている。このうちの一方は装置本体２に具えられた装置本体側カップリング６であり、他方は、プロセスカートリッジ２１に具えられたプロセスカートリッジ側カップリング２３である。
【００２９】
また、装置本体側カップリング６は、軸５の先端に取り付けられ、軸５の軸方向（軸Ｏの方向）に沿ってスライド自在である。なお、装置本体側カップリング６は、たとえばキー溝を介し軸５の軸方向に沿ってスライド自在にされている。  
また、装置本体２には、装置本体側カップリング６を軸５の上記先端側へ、軸５の軸方向に沿って付勢するコイルスプリング８を具えている。このコイルスプリング８の一端は装置本体側カップリング６に取り付けられ、コイルスプリング８の他端は、軸５に取り付けられた軸受け９に取り付けられている。
【００３０】
一方、プロセスカートリッジ２１は、ドラム２２とプロセスカートリッジ側カップリング２３とを具えており、プロセスカートリッジ側カップリング２３は、ドラム２２に取り付けられている。なお、ドラム２２はプロセスカートリッジ側カップリング２３を軸として回転する。  
また、装置本体側カップリング６の先端には、凸部７が形成されている。また、プロセスカートリッジ側カップリング２３の先端には、該凸部７に噛み合う凹部２４が形成されている。
【００３１】
また、図１で示すように、装置本体２の装置本体側カップリング６は、一方向にのみ動力を伝えるクラッチ（一方向クラッチ）１１を具えている。
【００３２】
このクラッチ１１は、図１の矢印Ａで示すように上記駆動源により軸５を正回転した場合に軸５に伝達された上記駆動源の駆動力を装置本体側カップリング６に伝達し、図１の矢印Ｂで示すように上記駆動源により軸５を逆回転した場合に軸５に伝達された上記駆動源の駆動力を前記装置本体側カップリング６に伝達しない一方向クラッチである。
【００３３】
また、この電子写真装置１では、後述するように、プロセスカートリッジ２１を装置本体２に取り付けた後に、軸５が正回転する前に、軸５が逆回転するように上記駆動源を駆動する。
【００３４】
次に、図１の電子写真装置１の動作又は作用について説明する。  
この電子写真装置１では、従来の電子写真装置５１と同様に、プロセスカートリッジ側カップリング２３の先端を、コイルスプリング８の付勢力に抗して装置本体側カップリング６の先端に押し付け、これにより装置本体側カップリング６を軸５の後端側へスライドさせると、プロセスカートリッジ側カップリング２３を装置本体側カップリング６に向けて配置することができ、またその押し付けを解除すると、コイルスプリング８の付勢力によって、プロセスカートリッジ側カップリング２３を装置本体側カップリング６に向けて配置した状態を維持するとともに、プロセスカートリッジ２１を装置本体２に取り付けることができる。
【００３５】
また、プロセスカートリッジ２１を装置本体２から取り外す場合には、従来の電子写真装置５１と同様に、プロセスカートリッジ側カップリング２３の先端を、コイルスプリング８の付勢力に抗して装置本体側カップリング６の先端に押し付け、これにより装置本体側カップリング６を軸５の後端側へスライドさせた後、その押し付けを解除すると、プロセスカートリッジ２１を装置本体２を取り外すことができる。
【００３６】
また、上述したようにプロセスカートリッジ２１を装置本体２に取り付ける際、プロセスカートリッジ側カップリング２３の先端を、コイルスプリング８の付勢力に抗して装置本体側カップリング６の先端に押し付ける場合に、図１で示すように、凹部２４が形成されたプロセスカートリッジ側カップリング２３の位相と凸部７が形成された装置本体側カップリング６の位相とを合わせると、装置本体側カップリング６の凸部７とプロセスカートリッジ側カップリング２３の凹部２４とを噛み合わせることができ、この凹部２４と凸部７の噛み合わせによって、装置本体側カップリング６とプロセスカートリッジ側カップリング２３とを連結することができる。
【００３７】
この電子写真装置１では、プロセスカートリッジ２１を装置本体２に取り付けた場合に、装置本体側カップリング６とプロセスカートリッジ側カップリング２３とが噛み合っているときには、図１の矢印Ａで示すように、上記駆動源により軸５を正回転すると、駆動ギア４を介し軸５に伝達された上記駆動源の駆動力が、一方向クラッチ１１によって装置本体側カップリング６に伝達され、伝達された上記駆動源の駆動力が、さらに装置本体側カップリング６と連結されたプロセスカートリッジ側カップリング２３を介してドラム２２に伝達され、該ドラム２２が正回転する。
【００３８】
図２は、図１の電子写真装置１の動作又は作用を説明する、電子写真装置１の要部概念正面図である。
【００３９】
この電子写真装置１では、プロセスカートリッジ２１を装置本体２に取り付けた際に、凸部７を具えた装置本体側カップリング６の位相と凹部２４を具えたプロセスカートリッジ側カップリング２３の位相とが合わない場合には、装置本体側カップリング６部の凸部７とプロセスカートリッジ側カップリング２３の凹部２４とが噛み合わない。このとき、この電子写真装置１では、プロセスカートリッジ２１を装置本体２に取り付けた後に、まず、軸５を、矢印Ｂで図示したように逆回転するように上記駆動源を駆動する。
【００４０】
すると、この電子写真装置１では、凸部７を具えた装置本体側カップリング６の位相と凹部２４を具えたプロセスカートリッジ側カップリング２３の位相とが合った直後に、コイルスプリング８の付勢力Ｆ２の付勢方向と反対方向に働く、ドラム２２の駆動負荷による、軸５の軸方向（スラスト方向）の摩擦力Ｆ１の大きさが、図２で示すようにコイルスプリング８の付勢力Ｆ２の大きさに比し可及的に小さくなるので、コイルスプリング８の付勢力によって、装置本体側カップリング６を、図１で示すように、装置本体側カップリング６の凸部７とプロセスカートリッジ側カップリング２３の凹部２４とが噛み合う位置まで可動させることができる。  
そのため、装置本体側カップリング６の凸部７とプロセスカートリッジ側カップリング２３の凹部２４とが可及的に確実に噛み合って、これにより装置本体側カップリング６とプロセスカートリッジ側カップリング２３の連結不良の問題を可及的に防止できる。
【００４１】
なお、上述したように軸５を逆回転した場合に、ドラム２２の駆動負荷による、軸５の軸方向（スラスト方向）の摩擦力Ｆ１の大きさが、コイルスプリング８の付勢力Ｆ２の大きさに比し可及的に小さくなるのは、装置本体側カップリング６が、上記駆動源により軸５を逆回転した場合に軸５に伝達された上記駆動源の駆動力を装置本体側カップリング６に伝達しない一方向クラッチ１１を具えているからである。  
この一方向クラッチ１１によって、軸５を逆回転した場合に生じる、ドラム２２の駆動負荷による、軸５の軸方向（スラスト方向）の摩擦力Ｆ１の大きさは、従来のように軸５を正回転した場合に生じる、ドラム２２の駆動負荷による、軸５の軸方向（スラスト方向）の摩擦力Ｆ１´（図５）の大きさに比して小さい。
【００４２】
また、この電子写真装置１では、上述したように装置本体側カップリング６に一方向クラッチ１１を具えることによって、装置本体側カップリング６の凸部７とプロセスカートリッジ側カップリング２３の凹部２４との噛み合いを、それらの配置スペースの制限によって、軸５の軸方向に浅くせざるをえない場合にも、装置本体側カップリング６の凸部７とプロセスカートリッジ側カップリング２３の凹部２４との噛み合いを可及的に確実にして、装置本体側カップリング６とプロセスカートリッジ側カップリング２３の連結不良の問題を可及的に防止できる。
【００４３】
また、この電子写真装置１では、プロセスカートリッジ２１を装置本体２に対し着脱する時に、装置本体側カップリング６をコイルスプリング８の付勢力に抗し、軸５の後端側へスライド（回避）させる機構の機械的強度を考慮して、コイルスプリング８の付勢力の大きさに制限（上限）を設けている場合がある。しかし、その場合であっても、この電子写真装置１では、従来の電子写真装置５１で生じていた、ドラム２２の駆動負荷による、軸５の軸方向（スラスト方向）の摩擦力Ｆ１´（図５）の大きさを減少させ、これによりドラム２２の駆動負荷による、軸５の軸方向（スラスト方向）の摩擦力Ｆ１の大きさを、コイルスプリング８の付勢力の大きさに比し、可及的に小さくしている。したがって、装置本体側カップリング６の凸部７とプロセスカートリッジ側カップリング２３の凹部２４とが可及的に確実に噛み合うこととなり、そのため装置本体側カップリング６とプロセスカートリッジ側カップリング２３の連結不良の問題を可及的に防止できる。
【００４４】
また、このように図２の矢印Ｂで示すように軸５を逆回転し、これにより図１で示すように装置本体側カップリング６の凸部７とプロセスカートリッジ側カップリング２３の凹部２４とが噛み合った後に、図１の矢印Ａで示すように、上記駆動源の駆動力により駆動ギア４を介し軸５を正回転させる。
【００４５】
このようにプロセスカートリッジ２１を装置本体２に取り付けた場合に、装置本体側カップリング６の凸部７とプロセスカートリッジ側カップリング２３の凹部２４とが噛み合っているときに、上記駆動源により軸５を正回転すると、上述したように、軸５に伝達された上記駆動源の駆動力が一方向クラッチ１１によって装置本体側カップリング６およびプロセスカートリッジ側カップリング２３に伝達され、これによりドラム２２が正回転する。
【００４６】
また、このドラム２２は、その表面に感光層が形成された感光体ドラムである。  
また、プロセスカートリッジ２１内には、このドラム２２に加え、ドラム２２の表面を帯電する帯電装置（図示しない）と、帯電されたドラム２２の表面に光を照射して静電潜像を形成する露光装置（図示しない）と、静電潜像が形成されたドラム２２の表面にトナーを付着させてトナー画像を形成する現像装置（図示しない）と、トナー画像を転写して画像を形成する転写装置（図示しない）、転写後のドラム２２に残留するトナーを除去するクリーニングブレード（図示しない）等が配設されており、これらの各装置はドラム２２の周囲に配置されている。  
したがって、矢印Ａで示すようにドラム２２が正回転に回転した場合には、ドラム２２が一回転する間に、上述したドラム２２の周囲の各種装置による処理によって、画像が形成される。
【００４７】
また、上記クリーニングブレードは、ドラム２２に接した位置に配置されており、従来、矢印Ｂで示す方向にドラム２２を逆方向に回転すると、上記クリーニングブレードが捲れる虞があった。したがって、従来の電子写真装置５１では、ドラム２２を逆回転するように上記駆動源を駆動することはなかった。  
これに対し、第一実施例の電子写真装置１では、ドラム２２を逆回転するように上記駆動源を駆動するが、軸５が逆方向に回転した場合には、一方向クラッチ１１によって、軸５の駆動力が装置本体側カップリング６およびこれに連結したプロセスカートリッジ側カップリング２３には伝達されないので、ドラム２２が逆回転する虞は可及的に防止されており、そのためクリーニングブレードが捲れる（めくれる）虞は可及的に防止されている。  
したがって、この電子写真装置１では、配置スペースの制限から装置本体側カップリング６とプロセスカートリッジ側カップリング２３との噛み合いが浅くされている場合であっても、装置本体側カップリング６とプロセスカートリッジ側カップリング２３の噛み合いを可及的に確実にして、装置本体側カップリング６とプロセスカートリッジ側カップリング２３との連結不良を可及的に防止することができる。しかもドラム２２に接したクリーニングブレードが捲れる虞を可及的に防止できる。
【実施例２】
【００４８】
図３は、本願発明の第二実施例の電子写真装置の要部概念正面図である。なお、図３では、図１、図２、図４及び図５と同一部分を同一符号で示している。
【００４９】
図３で示すように、第二の実施例の電子写真装置３１では、上述した第一の実施例の電子写真装置１の構成に加え、装置本体側カップリング６の凸部７の、矢印Ｂで示す軸５の逆回転方向側に、呼び込み面１２が形成されている。
【００５０】
この呼び込み面１２は、装置本体側カップリング６の凸部７を形成する面７ａ、７ｂ、７ｃのうち、該凸部７の先端の面７ａに対し軸５の逆回転方向に位置する面７ｂに形成された傾斜面である。この呼び込み面１２は、凸部７の先端の面７ａに対し軸５の逆回転方向に位置する面７ｂに対して傾斜している。
【００５１】
この第二実施例の電子写真装置３１では呼び込み面１２を具えることによって、該呼び込み面１２を設けない第一実施例の電子写真装置１（図２）に比し、凸部７と凹部２４とを噛み合い易くすることができ、そのため装置本体側カップリング６とプロセスカートリッジ側カップリング２３との連結を可及的に簡単にすることができる。
【００５２】
なお、第二の実施例の電子写真装置３１では、上述したように呼び込み面１２を、装置本体側カップリング６の凸部７を形成する面７ａ、７ｂ、７ｃのうち、該凸部７の先端の面７ａに対し軸５の逆回転方向に位置する面７ｂに形成するものとしたが、呼び込み面１２は第二の実施例のものに限定されず、この発明の電子写真装置では、呼び込み面１２を、装置本体側カップリング６、プロセスカートリッジ側カップリング２３のいずれか一方であって、凸部７又は凹部２４の、軸５の逆回転方向側に形成するようにしてもよい。たとえば、呼び込み面１２を、プロセスカートリッジ側カップリング２３の凹部２４を形成する面２４ａ、２４ｂ、２４ｃのうち、凹部２４の底面２４ａに対し軸５の逆回転方向側に位置する面２４ｃに形成してもよい。
【００５３】
なお、上述した第一の実施例の電子写真装置１および第二の実施例の電子写真装置３１では、いずれも装置本体側カップリング６の先端には凸部７が形成され、プロセスカートリッジ側カップリング２３の先端には、該凸部７に噛み合う凹部２４が形成されているものとして説明したが、この発明の電子写真装置１はこれらの実施例のものに限定されず、この発明の電子写真装置は、装置本体側カップリング６、プロセスカートリッジ側カップリング２３のいずれか一方の先端に凸部７が形成され、他方の先端に該凸部７に噛み合う凹部２４が形成されているものであればよい。
【００５４】
なお、上述した第一の実施例の電子写真装置１および第二の実施例の電子写真装置３１では、いずれも、軸５の正回転をＡ方向の回転として図示し本願発明の説明を行ったが、軸５の正回転はＡ方向の回転に限るものではなく、軸５の正回転方向は、画像を形成する際のドラム２２の回転方向であればよい。
【符号の説明】
【００５５】
１、３１  電子写真装置
２  装置本体
４  駆動ギア
５  軸
６  装置本体側カップリング
７  凸部
８  付勢手段
１１  一方向クラッチ
１２  呼び込み面
２１  プロセスカートリッジ
２２  ドラム
２３  プロセスカートリッジ側カップリング
２４  凹部
Ａ  正回転
Ｂ  逆回転
【図１】
2010169875.tif 000003
【図２】
2010169875.tif 000004
【図３】
2010169875.tif 000005
【図４】
2010169875.tif 000006
【図５】
2010169875.tif 000007